(57)【特許請求の範囲】
【請求項１】
有機発光ダイオード（ＯＬＥＤ）デバイスと、異なる程度の透明性を持つパターンである、第一のトーンを有する部分を持つ透明イメージとを含み、前記ＯＬＥＤデバイスが発光コンポーネントを含む、照明装置の製造方法であり：
前記発光コンポーネントの第一の部分の光出力容量を第一の光出力レベルに減少させて、前記第一の部分を、前記透明イメージの前記トーンを持つ前記部分に対応させ；及び
前記透明イメージを前記ＯＬＥＤデバイス上に適用して前記照明装置の部分を形成し、
そこで前記透明イメージの前記第一のトーンを持つ前記部分が、前記発光コンポーネントの前記第一の部分と少なくとも部分的に重ねる、
方法。
【請求項２】
請求項１に記載の方法であり：
前記発光コンポーネントの第二の部分の光出力容量を第二の光出力レベルに減少させ、前記第二の部分を、前記透明イメージの第二のトーンを持つ第二の部分に対応させ、
そこで、前記ＯＬＥＤデバイス上に前記透明イメージを適用することがさらに、前記発光コンポーネントの前記第二の部分と少なくとも部分的に重なる前記イメージの前記第二の部分を含ませる、方法。
【請求項３】
請求項２に記載の方法であり、前記透明イメージの前記第一のトーンを持つ前記部分が、前記発光コンポーネントの前記第一の部分に整合する、方法。
【請求項４】
請求項２に記載の方法であり、前記透明イメージの前記第二のトーンを持つ前記部分が、前記発光コンポーネントの前記第二の部分に整合する、方法。
【請求項５】
請求項２乃至４のいずれか１項に記載の方法であり、前記減少が、前記発光コンポーネントの前記第一の部分をレーザーで照射することを含む、方法。
【請求項６】
請求項５に記載の方法であり、前記第二の部分の前記減少が、前記第一の部分を照射する前記レーザー光の光強度とは異なる光強度を持つレーザー光で前記第二の部分を照射することを含む、方法。
【請求項７】
請求項５又は６のいずれかに記載の方法であり、前記レーザー光の波長が、前記発光コンポーネントの吸収バンド内である、方法。
【請求項８】
請求項１又は２のいずれかに記載の方法であり、前記減少が、前記透明イメージに基づくマスクイメージを含むマスクを、前記ＯＬＥＤでデバイスの基板上に適用することを含む、方法。
【請求項９】
請求項８に記載の方法であり、前記マスクイメージが、前記透明イメージのグレイスケールイメージである、方法。
【請求項１０】
請求項８又は９のいずれかに記載の方法であり、前記適用が、前記透明イメージを、前記発光コンポーネントの前記第一の部分に関して回転することを含む、方法。
【請求項１１】
請求項１乃至１０のいずれか１項に記載の方法であり、前記光出力容量の減少に先立ち前記ＯＬＥＤデバイスを埋包することを含む、方法。
【請求項１２】
照明装置であり：
減少された光出力容量を持つ第一の部分を含む発光コンポーネントを含む有機発光ダイオード（ＯＬＥＤ）と；
第一のトーンを持つ部分を含む透明イメージとをさらに含み、
前記透明イメージの前記第一のトーンを持つ前記部分が、前記発光コンポーネントの前記第一の部分と、少なくとも部分的に重なる、装置。
【請求項１３】
請求項１２に記載の装置であり、前記発光コンポーネントがさらに、第二の光出力レベルを持つ第二の部分を含み、前記第二の部分が、前記透明イメージの第二のトーンを持つ部分に対応し、前記透明イメージの前記第二のトーンを持つ前記第二の部分が、前記発光コンポーネントの前記第二の部分と、少なくとも部分的に重なる、装置。
【請求項１４】
請求項１２に記載の装置であり、前記透明イメージが、前記ＯＬＥＤデバイスの第一の側と前記第一の側と対向する第二の側に適用される、装置。
【発明の詳細な説明】
【技術分野】
【０００１】
本発明の技術分野は、照明である。より具体的には本発明は照明装置、特にＯＬＥＤデバイスを含む照明装置である。
【背景技術】
【０００２】
有機発光ダイオード（以下、ＯＬＥＤとする）デバイスは、いくつかの見地から種々の照明システムの将来と考えられており、例えば非常に広い色範囲であるという魅力的な性能を有するものであり、例えば通常照明又は個人的機器として使用され得る。例えば２次元のフルグレイスケールイメージやロゴタイプを、単一のＯＬＥＤで製作することが可能である。
【０００３】
ＯＬＥＤデバイスでフルカラーパターンを達成するために、ＯＬＥＤデバイスの前に設けた透明カラーホイルが利用されている。
【０００４】
照明装置を販売し及び開発している会社にとって、かかる高品質のフルカラーイメージを提供できることは興味のあることである。
【発明の概要】
【発明が解決しようとする課題】
【０００５】
従って、上記に鑑み、通常照明のために改良されたＯＬＥＤデバイスを得ることは望ましい。特に、強化されたコントラストでフルカラーイメージを表示するＯＬＥＤデバイスを得ることは利点である。
【課題を解決するための手段】
【０００６】
かかる問題のひとつ又はそれ以上を解決するために、本発明の第一の側面は、ＯＬＥＤデバイス及び第一のトーンを持つ部分を含む透明イメージを含み、前記ＯＬＥＤデバイスが発光コンポーネントを含む照明装置を製造する方法であり、
前記発光コンポーネントの第一の部分の光出力容量を第一の光出力レベルに減少させ、前記第一の部分は前記透明イメージの前記第一のトーンに対応し、及び前記透明イメージを前記ＯＬＥＤデバイス上に適用して、前記イメージの前記第一のトーンを持つ前記部分が、少なくとも部分的に前記発光コンポーネントの前記第一の部分と重なる、方法である。
【０００７】
光出力容量は、前記発光コンポーネントから発光することができる光の量として解釈されるべきである。明細書を通じて、前記発光コンポーネントの光出力容量の減少及び前記ＯＬＥＤデバイスの光出力容量の減少発光コンポーネントとは、交換可能である。
【０００８】
本発明において透明イメージは、パターン、写真等、前記イメージのそれぞれのトーンがある程度の透明性を持つものとして解釈されるべきである。例えば透明イメージのより軽いトーンは、その部分を通る光が、より暗いトーンを持つイメージの部分を通る光よりもより多いということである。
【０００９】
前記イメージのトーンは、カラートーン又はグレイスケールトーン、例えば前記イメージの当該部分の輝度として定義される。
【００１０】
ここで意味する発光コンポーネントとは、ＯＬＥＤデバイスの発光層、伝導層、輸送層及び電荷注入層のそれぞれの又はそれらのすべての組み合わせとして理解されるべきである。
【００１１】
ひとつの実施態様において、前記透明イメージを適用することは、前記ＯＬＥＤデバイス上に前記透明イメージを含む透明ホイルを適用することを含む。または、前記ＯＬＥＤデバイスに前記透明イメージを適用することは、前記ＯＬＥＤデバイス上に前記透明イメージを印刷することを含んでもよい。
【００１２】
本発明の方法は有益にも、高コントラストカラー又はグレイスケールイメージを表す省エネルギ照明装置を製造するために使用されることができる。特に、本発明の照明装置は、前記照明装置上に表される高コントラストカラー又はグレイスケールイメージを生成する方法も提供することができる。ここで、減少された光出力容量を有する部分が、前記照明装置上で表される前記イメージの前記カラートーンに依存して選択される。
【００１３】
前記ＯＬＥＤデバイス上に適用される前記透明イメージに基づくイメージは従って、選択された部分の光出力容量を減少させることにより前記ＯＬＥＤデバイス上にパターン化することが可能であり、ここで前記透明イメージは、前記パターン化されたイメージ上に適用することが可能であり、前記透明イメージは少なくとも部分的に前記ＯＬＥＤデバイスの前記パターン化されたイメージと重なる。例えば、前記ホイルイメージのより暗い部分は、前記ＯＬＥＤデバイスの光出力容量をそれに応じて減少させる。従って、ホイルイメージの暗い部分は、ＯＬＥＤデバイスがＯＮ状態で確実に暗くなり、ホイルイメージのコントラストは強化される。本発明において、パターン化されたＯＬＥＤデバイスとは、減少させた光出力容量を持つ発光層の少なくとも一部分を含むＯＬＥＤデバイスであり、従って前記ＯＬＥＤデバイスがＯＮ状態でパターンを生じるＯＬＥＤデバイスとして解釈されるべきである。
【００１４】
さらに、前記ＯＬＥＤデバイスの低電流消費の効果が達成される。というのは、通常のパターン化されていないＯＬＥＤデバイスとイメージ付き透明ホイルに比べて、減少された光出力容量を持つ部分には電流が流れないか低電流のみ流れるからである。
【００１５】
実施態様はさらに、前記発光コンポーネントの第二の部分の光出力容量を第二の光出力レベルに減少させ、前記第二の部分は前記透明イメージの前記第二のトーンに対応することを含み、前記ＯＬＥＤデバイス上に前記透明イメージを適用することがさらに、前記イメージの前記第二の部分が、前記発光コンポーネントの前記第二の部分と少なくとも部分的に重なる。
【００１６】
前記透明イメージの前記イメージの前記第一のトーンを持つ前記部分は、前記発光コンポーネントの前記第一の部分と位置調整され得る。前記発光コンポーネントの前記光出力容量を減少させるために使用される方法に依存して、パターン化されたイメージ、即ち前記透明イメージにつき減少した光出力容量を持つ部分の位置調整は、高コントラストイメージを生成することができる。一例として、例えばデザリングに基づくレーザー又はマスクイメージにより光出力容量を減少させることで、前記パターン化イメージと前記透明イメージとを位置調整させることにより高コントラストを適用することができる。
【００１７】
前記透明ホイルのイメージの前記第二のトーンを持つ部分は、前記発光コンポーネントの前記第二の部分と位置調整されることができる。従って、前記透明イメージは、ＯＬＥＤデバイス上で前記パターン化されたイメージ、即ち前記減少した光出力容量のすべての部分と重なることが可能となる。
【００１８】
減少方法には、前記発光コンポーネントの前記第一の部分をレーザーで照射することを含む。レーザー照射は、マスク例えばフォトリソグラフィマスクを用いる必要がなく、マスク技術に代わる安価な方法を提供するという点で有利である。
【００１９】
減少方法は、前記第二の部分を前記第一の部分を照射するレーザーの光強度とは異なる強度を持つレーザー照射を含む。これにより、異なる強度は、発光コンポーネントの光出力容量に異なる減少をもたらすという意味で、グレイスケール化が達成される。前記レーザー光の波長は、前記ＯＬＥＤデバイスの発光コンポーネントの吸収バンド内である得る。それによりレーザーの変性閾値よりも低い強度を使用可能となる。
【００２０】
変性閾値とは、ＯＬＥＤデバイスのカソード、アノード及び（有機）発光層を、物理的にも機械的にも及び／又は熱的にも、カソード及びアノードに変性を起こさず、さらに（有機）発光層上に目に見えるマークを残さずに、照射可能な最大の光強度として定義される。
【００２１】
または、減少方法は、前記イメージに基づくマスクイメージをＯＬＥＤデバイスの基板上に適用することを含んでよい。
【００２２】
ひとつの実施態様において、前記マスクイメージは、荷電又は電流ブロック層を含むことができる。例えば電気的絶縁ホトレジスト又は構造化絶縁体であって例えば酸化ケイ素、窒化ケイ素、例えば酸化アルミニウムなどの金属オキシド、例えば窒化アルミニウムなどの金属窒化物が挙げられ、これらはＯＬＥＤデバイス製造プロセスの際に適用可能である。
【００２３】
前記マスクイメージは、前記透明イメージのグレイスケールイメージに基づくものであり得る。例えば種々のデザリング技術であるグレイスケール化が、かかるマスクイメージを達成するために使用することができ、それにより、前記ＯＬＥＤデバイス上のパターン化された（マスク）イメージと前記透明イメージとの干渉による最終製品の照明装置に対するモアレ効果を抑制することができる。
【００２４】
さらに、前記適用するとは、前記透明イメージを、前記発光層の前記第一の部分に関して回転させることを含むことができる。それによりモアレ効果を抑制することができる。
【００２５】
ひとつの実施態様はさらに、前記ＯＬＥＤデバイスを、光出力容量を減少させる前に埋包することを含む。埋包の後、前記発光コンポーネントを照射することは、ビジネスの観点から有益である。というのは、半製品のＯＬＥＤデバイスについて、顧客の要求に応じて工場から離れた場所でイメージのパターン化が可能であるからである。
【００２６】
本発明の第二の側面によれば、照明装置が提供され、当該照明装置は、
減少した光出力容量を持つ第一の部分を含む発光コンポーネントを含むＯＬＥＤデバイスと第一のトーンを持つ部分を含む透明イメージとを含み、前記イメージの前記第一のトーンを持つ前記部分が、前記発光コンポーネントの前記第一の部分と少なくとも部分的に重なる。
【００２７】
一般的にこの第二の側面は第一の側面と同様の利点及び特徴を示すことが可能である。
【００２８】
発光コンポーネントはさらに、第二の光出力レベルを持つ第二の部分を含み、前記第二の部分は前記透明イメージの第二のトーンを持つ第二の部分に対応する。
【００２９】
透明イメージは、前記ＯＬＥＤデバイスの第一の側及び前記第一の側と対向する第二の側に適用することができる。これは、前記ＯＬＥＤデバイスの２つの対向する側からイメージを見ることができ、前記照明装置により提供される視覚体験を強化するという利点がある。
【００３０】
本発明のこれら及び他の側面は、以下に記載される実施態様を参照することで明らかとなるであろう。
【００３１】
一般的に、特許請求の範囲で使用される全ての用語は、ここで明示的に定義されない限り、当該技術分野のそれらの通常の意味に従い解釈されるべきである。「ひとつの／その／前記の（要素、デバイス、コンポーネント、手段、方法、ステップなど）」は、限定的ではなく、明示的に他で説明されない限り、当該要素、要素、デバイス、コンポーネント、手段、方法、ステップなどが少なくとも１つを意味するものとして解釈されるべきである。ここで開示される全ての方法のステップは、明示的に他で説明されない限り、開示される順番で実施態様される必要はない。
【００３２】
本発明の実施態様について、添付した図面を参照してさらに詳細に説明する。
【図面の簡単な説明】
【００３３】
【図１】図１は、本発明の照明装置を示す。
【図２】図２は、ＯＬＥＤデバイスの断面側面を示す。
【図３】図３は、図２のＯＬＥＤデバイスの光出力容量の減少を模式的に示す。
【図４】図４は、図２のＯＬＥＤデバイスの光出力容量の減少を模式的に示す。
【図５ａ】図５ａは、ＯＬＥＤデバイスの発光コンポーネントを模式的に示す。
【図５ｂ】図５ｂは、図１の照明装置を模式的に示す。
【図６】図６は、本発明の照明装置の実施態様を模式的に示す。
【図７】図７は、図６のＯＬＥＤデバイスの部分についての透明ホイルの回転を示す。
【図８】図８は、本発明の実施態様による照明装置のひとつの実施態様を示す。
【図９】図９は、本発明の実施態様による照明装置の製造を説明するフローチャートを示す。
【図１０】図１０は、本発明の実施態様による照明装置の製造を説明するフローチャートを示す。
【図１１】図１１は、本発明の実施態様による照明装置の製造を説明するフローチャートを示す。  図１は、本発明の実施態様による照明装置１を示す。照明装置１は、ＯＬＥＤデバイス２及び透明イメージＩを含む。ＯＬＥＤデバイス２は、前記透明イメージＩが前記ＯＬＥＤデバイス２へ適用される部分で光出力容量が減少している。特にこの例示では、前記ＯＬＥＤデバイス２の第一の部分は、前記透明イメージＩの第一のトーンＴ１に伴う第一の出力レベルに応じて光出力容量が減少し、かつ、前記透明ホイルＦのイメージの第二のトーンＴ２に伴う第二の出力レベルに応じて光出力容量が減少している。もちろん他の変形も本発明の範囲で可能である。
【発明を実施するための形態】
【００３４】
一般的に本発明のアイデアは、前記透明イメージＩによるＯＬＥＤデバイス２をパターン化し（即ち光出力容量を減少させる）、前記透明イメージＩを前記ＯＬＥＤデバイス２に適用することであり、そこで前記ＯＬＥＤデバイス２のパターン化されたイメージ及び前記透明イメージＩ（カラー又はグレイスケールイメージのいずれでも）が少なくとも部分的に重なる、ということである。前記透明イメージＩは、前記ＯＬＥＤデバイス２上に前記透明イメージＩを印刷するか、前記ＯＬＥＤデバイス２上に前記イメージＩの透明ホイルを適用するかにより、適用することができる。
【００３５】
本発明の方法及びデバイスは、ＯＮ状態で、前記ホイルイメージの輝度に応じて前記ＯＬＥＤデバイス２の光出力容量の減少（例えばグレイスケール）により、前記透明イメージＩの強化されたコントラストを奏する照明装置１を提供する。
【００３６】
照明装置１は、電力消費を減少するという意味でより経済的であることでも有利である。本発明は、図１から１０に基づいてさらに詳しく説明される。
【００３７】
図２は、本発明によるＯＬＥＤデバイス２のひとつの実施態様の断面側面図である。前記ＯＬＥＤデバイス２は、埋包体３を含む。これは例えばガラス、金属又は他の密閉型コーティングからなり、汚染、例えば湿気や汚れから内部のコンポーネント７、９、１１、１３を保護する。前記埋包体３はまた、ゲッターを含み、前記埋包体を通過する水分を吸収する。前記埋包体３内で、前記ＯＬＥＤデバイス２は、カソード７、アノード９及び発光層即ち放射層１１及び電気伝導層１３を含む。発光層１１と伝導層１３とは共に発光コンポーネントＣを形成する。これらの内部コンポーネントは、例えばガラス基板５上に、例えば前記アノード９、伝導層１３、発光層１１及びカソード７をこの順に前記基板５に配置することで、設けることができる。前記発光層１１及び伝導層１３は、例えばポリマー又はオリゴマーである有機物質から製造されてもよい。発光層１１又は伝導層１３は、特定の吸収バンド特性を持つことができる。
【００３８】
正電圧を前記アノード９及び前記カソード７に与えると、発光コンポーネント１１及び前記伝導層１３を通じて電流が流れ、その結果電子−ホール再結合が生じ前記ＯＬＥＤデバイス２から発光する。例えば前記アノード９を通じる発光のために、前記アノードは、インジウムスズ酸化物（ＩＴＯ）、フッ素化酸化亜鉛又は他の透明導電体であり得る。または前記カソード７もまた透明であり得る。
【００３９】
前記伝導層１３及びアノード９の機能は、ひつつの実施態様においては、ひとつの単一層に組み合わせることが可能である。
【００４０】
図３は、図２のＯＬＥＤデバイス２の光出力容量の減少を模式的に示す。図３に示される例では、それぞれの層（前記埋包体３、前記カソード７、前記発光コンポーネント１１、前記伝導層１３、前記アノード９及び前記基板５）の水平方向での前記部分Ｐをレーザー光が照射して、前記レーザー光Ｌが前記ＯＥＬＤデバイス２を通過する。前記レーザー光Ｌは、有機発光層１１又は伝導層１３、即ち発光コンポーネントＣに影響を与えて、前記レーザー光も波長に依存する変化させることが可能である。好ましくは、前記レーザー光の波長は、前記発光コンポーネントの吸収バンド内である。前記レーザー光が、前記発光層又は伝導層１１及び１３も波長バンド内である場合、その分子構造が変化し、前記発光コンポーネントＣの前記照射部分Ｐの光出力容量が減少する。即ち、層１１の前記光出力容量又は伝導層１３の物質の導電性が局所的に変化する。実際には前記発光層の前記照射された部分Ｐの光出力容量は、前記レーザー光Ｌの波長及び前記レーザー光の強度に依存する。従って、前記発光層１１の光出力容量はまた、前記レーザー光の強度にも依存し、前記発光層１１内の波長バンド内の照射波長の強度が高いほど、光出力容量が大きく減少する。しかしパターン化効果は大きく全光投与量に依存し、従ってグレイスケール効果は、一定の強度ではあるがレーザービームの焦点のスキャン速度を変えることでまた、達成可能である。さらにそれに加えて又はそれに代えて、種々の濃度の模様（線又は点）でハッチングパターンを書き込むことも異なるグレイスケールとすることができる。
【００４１】
好ましくは、前記レーザー光Ｌの強度は、前記カソード７、アノード９及び発光コンポーネントＣの変性閾値よりも小さい。これにより、ＯＦＦ状態で前記ＯＬＥＤデバイス２上になんら目に見える印も残さないので有利である。
【００４２】
前記ＯＬＥＤデバイス２が外部の光源（図示されない）、例えばレーザーで照射される際、前記照射レーザー光Ｌの波長を含む吸収バンドを持つ有機発光コンポーネントＣの前記照射された部分Ｐの光出力容量が減少され得る。例示として、標準のスーパーイェローＯＬＥＤ（ｓｕｐｅｒ−ｙｅｌｌｏｗ  ＯＬＥＤ）デバイスが、５３２ｎｍ発光波長の周波数二重化Ｎｄ：ＹＡＧ−レーザーを用いて、前記変性閾値よりも小さい強度で照射されることができる。
【００４３】
青色発光ポリマーには、青スペクル、即ち４０５ｎｍで発光するレーザーを使用することができる。特に、例えばブルーレイディスク（Ｂｌｕ−Ｒａｙ）製品で使用される固体レーザーを使用可能である。これにより、パターン化されたＯＬＥＤデバイス２を加工して低コストでコンパクトサイズのシステムとすることができ、有利である。
【００４４】
低分子物質に基づくＯＬＥＤはメカニズムが異なる。即ち波長依存レーザー照射は主に伝導層に影響し、従って前記デバイス内の電流を局所的に減少させ、発光層からの発光を局所的に減少させることになる。
【００４５】
一般的に、レーザー出力及びレーザービーム直径を変更することで、レーザー強度を変化させることができる。照射の間のＯＬＥＤデバイス１の上のレーザースキャン速度と共に、発光コンポーネントＣの照射された部分Ｐの減少された光出力容量により得られるパターンのコントラストは制御されることができる。これらのパラメータを制御することで、ＯＬＥＤデバイス１のフルグレイスケールパターンを可能とする。
【００４６】
前記光Ｌは、カソード７が透明であれば前記カソード７を、しかしまた、前記アノード９を通じて暴露させることもできる。好ましくは約３５０ｎｍより小さい波長は避けるべきである。というのは、これらは前記透明伝導層表面、例えばインジウムスズ酸化物（ＩＴＯ）を損なう可能性があるからである。
【００４７】
図４は、図２のＯＬＥＤデバイス２の光出力容量の減少を模式的に示す。前記ＯＬＥＤデバイス２の光出力容量は、マスク１４、即ちフォトリソグラフィマスクを用いて減少させることができる。
【００４８】
前記透明イメージＩは、イメージプロセスに用いられたオリジナルイメージに基づくものであってよい。そのようなイメージプロセスには、例えばイメージの点が黒か白かを輝度閾値を超えているかどうかにより決定する、例えばフロイド−スタインバーグ法によるデザリング（規則的かランダム）、ハッチング又はクアンタイズが挙げられる。有利には、オリジナルイメージは、黒白型に変換される。好ましくはかかるイメージプロセスがマスクイメージを作るために使用される。さらには、マスクイメージは、光出力容量の減少化に使用される前に、例えばガンマ補正、即ちマスクイメージの最終コントラストが調節の対象とされてもよい。
【００４９】
ＯＬＥＤデバイス２、例えばボトム発光タイプ（アノード９を通じての発光）の標準の青色ポリマーデバイスとしてガラス基板５上のデバイスに適用される際、前記マスク１４は、紫外（以下ＵＶとする）スペクトル内の波長を持つ光で照射されることができる。これによりＯＬＥＤデバイス１上に前記イメージ（パターン）を作ることができる。かかるＯＬＥＤデバイス２は、例えば図６に示されるように、第一の光出力レベルを持つ第一の部分Ｐ１及び第二の光出力レベルを持つ第二の部分Ｐ１を持つことができる。
【００５０】
前記透明イメージＩを前記ＯＬＥＤデバイス２に、そこで減少した光出力容量を持つ前記第一の部分Ｐ１が、前記第一のトーン（例えば図６参照）を持つ前記イメージの第一の部分と少なくとも一部分重なるように適用されることができる。一般的に、ＯＬＥＤデバイス２の減少した光出力容量を持つ部分は、それに対応する前記透明イメージの部分と少なくとも部分的に重なるべきである。例えばデザリングによるイメージプロセスが用いられる場合には、そのイメージは、減少した光出力容量を持つ前記部分に整合されることができる。
【００５１】
ひとつの実施態様においては、前記イメージと、ＯＬＥＤデバイス２の減少した光出力容量を持つ前記部分とは、お互いに関してやや回転される。例えばデザリングおよび回転の利点は、以下より詳しく図６及び７を参照して記載する。
【００５２】
図５ａは、ＯＬＥＤデバイス１の前記発光コンポーネントＣの模式図である。簡単にするために、発光コンポーネントＣのみ示される。しかし同じ原理がＯＬＥＤデバイス２に一般的に適用されることは理解されるべきである。
【００５３】
ＯＬＥＤデバイス２の発光コンポーネントＣは、この例では、上で説明されたレーザーで照射されている。部分Ｐ１は、第一の強度を持つレーザー光で照射されており、かかるレーザー光は前記発光コンポーネントＣの吸収バンド内の波長を持ち、それにより前記発光コンポーネントＣの光出力容量を第一の光出力レベルへ減少している。部分Ｐ２は、部分Ｐ１を照射した前記第一の強度とは異なる第二の強度を持つレーザー光で照射されている。前記部分Ｐ２を照射したレーザー光の波長はまた、発光コンポーネントＣの吸収バンド内である。発光コンポーネントＣの光出力容量は従って、前記第一の出力レベルとは異なる第二の出力レベルに減少されている。この例ではこのようにして２トーンのグレイスケールが生成される。前記第一の強度が前記第二の強度よりも大きいと仮定すると、図５ａに矢で説明されるように前記第一の出力レベルは、前記第二の首都力レベルよりもより減少されるであろう。
【００５４】
前記照射は、ＯＬＥＤデバイス２が前記埋包体３に埋包される際に行うことができる。または照射は埋包される前に行うこともできる。
【００５５】
ひとつの実施態様において、白色発光ＯＬＥＤデバイス１が使用され得る。このタイプのＯＬＥＤはそれぞれが異なる光吸収スペクトルを持つ発光コンポーネントの混合物を含む。ポリマーについては青色光照射によりすべての光コンポーネントに対して発光を減少させ見かけをグレイから黒とする。より長波長を用いることで、選択的脱色（前記スペクトルの長波長側からのみ）、例えば局所的に赤発光を除去して緑色を残す等が可能となる。
【００５６】
図５ｂは、図１のＯＬＥＤデバイス２の模式図である。前記透明イメージＩは、埋包されたＯＬＥＤデバイス２に適用されている。前記透明イメージＩは、前記第一及び前記第二のトーンＴ１及びＴ２をそれぞれ有するカラーイメージ又はグレイスケールイメージであり得る。前記透明イメージＩは、前記ＯＬＥＤデバイス２に、前記第一のトーンＴ１を持つ前記イメージの部分が、前記発光コンポーネントＣの前記部分Ｐ１と整合され、かつ前記第二のトーンＴ２を持つ前記イメージの部分が、前記発光コンポーネントＣの前記部分Ｐ２と整合されるように、適用されている。
【００５７】
この例では、前記第一のトーンＴ１は、前記第二のトーンＴ２よりも、より低い輝度、即ちより暗い影を持つ。前記部分Ｐ１の前記第一の光出力レベルは、例えば、その輝度が前記第一のトーンＴ１の前記輝度に基づく。従って、前記部分Ｐ２の前記第二の光出力レベルは、例えば、その輝度が前記第二のトーンＴ２の前記輝度に基づく。ひとつの実施態様においては、前記部分Ｐ１及びＰ２の輝度は、前記第一及び第二のトーンＴ１及びＴ２の輝度と同じであってよい。
【００５８】
一般的にイメージのコントラストが改良され得る。前記イメージＩの暗い領域は真に暗くなり得る。というのはこれらの領域では、光がほとんど又は全く生じないからである。
【００５９】
さらに、減少した光出力容量を持つ部分、ある部分ではむしろ無発光であり得る前記減少した光出力容量を持つ部分を持つ前記ＯＬＥＤデバイス１の提供は、電力の削減又は全く電力を消費しないということになり得る。従って、ＯＬＥＤデバイス２の消費電力は、パターン化されていない以外は同じデバイスよりもずっと低いものとなり得る。
【００６０】
従って、前記イメージの改良されたコントラストが達成され、同時に省エネルギ照明装置１が達成される。
【００６１】
図６は、本発明のよる照明装置１のひとつの実施態様の模式図である。この例では、ＯＬＥＤデバイス２の減少した光出力容量はマスク、例えば上で説明したようなフォトリソグラフィマスクに基づく。
【００６２】
部分Ｐ１及びＰ２は第一の光出力レベル及び第二の光出力レベルをそれぞれ持つ。前記透明イメージＩが、埋包されたＯＬＥＤデバイス２に、図７に示されるように前記部分Ｐ１及びＰ２に関して角度αで回転されて適用されている。しかし、前記第一のトーンＴ１を持つ前記透明イメージＩの前記部分は部分的に前記部分Ｐ１と重なり、かつ、前記第二トーンＴ２を持つ前記透明イメージＩの前記部分は部分的に前記部分Ｐ２と重なる。
【００６３】
前記イメージは、望ましくない干渉、即ちモアレ効果を抑制するために回転される。モアレ効果は、前記ＯＬＥＤデバイス２の減少した光出力容量を用いる際に生じる可能性がある。かわりに、部分Ｐ１及びＰ２が、加工の際に前記透明イメージＩ（後に適用される）に関して少し回転させてもよい。
【００６４】
固定電圧５Ｖで省エネルギーの説明的例のひとつとして、現ＯＬＥＤデバイス２は特定のホイルイメージ及び対応するＯＬＥＤデバイス２パターンについて、２０ｍＡ消費する。一方パターン化されていないＯＬＥＤデバイスでは７３ｍＡ消費する。
【００６５】
一般的に光り出力減少のマスクを用いるＯＬＥＤデバイス２のために、クアンタイズ方法、デザリング又はハッチングがモアレ効果を避けるために使用可能である。
【００６６】
図８は、本発明による照明装置１のひとつの実施態様を示す。ＯＬＥＤデバイス２はこの例では、デバイス２の第一の側Ｓ１及び第二の側Ｓ２に適用された前記透明イメージを持ち、前記第一及び第二の側はＯＬＥＤデバイス２の対抗する側である。前記透明イメージＩは、ここで開示された方法に従い適用される。ＯＬＥＤデバイス１の光出力容量の減少は、ここで記載されたすべての光減少方法により実施され得る。
図９−１１は、本発明の実施態様による照明装置１の製造を示すフローチャートである。
【００６７】
場合によるステップＳ０において、ＯＬＥＤデバイス１をデバイス２は埋包体３に埋包されている。
【００６８】
ステップＳ１において、発光コンポーネントＣの第一のＰ１の第一の前記光出力容量は、第一のトーンＴ１、即ち第一の輝度を持つイメージの部分に応じて第一の光出力のレベルに減少される。
【００６９】
場合によるステップＳ１’において、前記発光コンポーネントＣの第二の部分Ｐ２の前記発光コンポーネントＣの光出力容量が減少される。前記発光コンポーネントＣの前記第二の部分Ｐ２は、前記透明イメージＩの第二のトーンＴ２を持つ第二の部分に対応する。以下のステップＳ２で前記透明イメージＩを適用するとき、前記ホイルイメージの前記第二のトーンＴ２を持つ前記第二の部分は、前記発光コンポーネントＣの前記第二の部分Ｐ２と、少なくとも部分的に重なる。
【００７０】
ステップＳ２において、前記透明ホイルイメージはＯＬＥＤデバイス１に適用される。前記イメージの前記第一のトーンＴ１を持つ部分は、減少した出力容量を持つ第一の部分Ｐ１と少なくとも部分的に重なる。前記発光コンポーネントＣの光出力容量を減少させるために用いられる場合には、前記照射される部分は、前記透明イメージの対応するイメージと整合される。
【００７１】
または、光出力容量の減少がマスクによる場合、前記イメージは前記発光層１１に関して回転されてよい。または、前記発光層１１のイメージ自体が、前記イメージに関して回転されてもよい。
【００７２】
ひとつの実施態様において、ＯＬＥＤデバイス２上に適用される前記透明イメージＩは、前記イメージを含む透明ホイル、即ちそれに印刷されたイメージを持つホイルを適用することを含むことができる。
【００７３】
前記透明ホイルは、糊付け、ラミネート、挟み込み又は当業者であれば理解できる他の方法で適用することができる。
【００７４】
または、前記イメージＩは、ＯＬＥＤデバイス２に直接に印刷されてもよい。
【００７５】
ひとつの実施態様において、前記イメージは、ＯＬＥＤデバイスの第一の側及び前記第一の側と対抗する第二の側に提供されてもよい。前記イメージは前記ＯＬＥＤデバイス２がＯＮ状態の際に前記ＯＬＥＤの２つの側で見られることができることから、有利である。
【００７６】
発光層１１の光出力容量を減少させるためにマスクが使用されるひとつの実施態様において、前記ＯＬＥＤ２をパターン化するために使用される前記マスクイメージは、例えばフロイド−ステインバーグ法のようなデザリング（規則的又はランダム）、ハッチング又はクアンタイズであるイメージプロセスの対象とされたオリジナルイメージに基づくことができる。かかるイメージプロセスは好ましくは前記マスクを製造するために用いられる。さらに、前記マスクイメージは、光出力の減少のために用いられる前にガンマ補正の対象とされてもよい。即ち、前記イメージの最終のコントラストを調節するためである。
【００７７】
本発明は図面及び記載により詳細に記載されてきたが、かかる説明及び記載は、説明的及び例示的とされるべきであり制限的とされるべきではない。本発明は開示された実施態様に限定されるべきではない。開示された実施態様の他の変更例についても、請求される発明を実施することにおいて、いわゆる当業者にとっては、図面、発明の詳細な説明及び添付の特許請求の範囲を検討することから理解されることができ、有効であろう。ある手段が、相互に異なる従属請求項に引用されているということだけでは、これらの方法が有効に組み合わせることができないということを意味しない。さらに、特許請求の範囲のすべての参照記号は本発明の範囲を限定することを示すものではない。
【図１】
0005711664.tif 000002
【図２】
0005711664.tif 000003
【図３】
0005711664.tif 000004
【図４】
0005711664.tif 000005
【図５ａ】
0005711664.tif 000006
【図５ｂ】
0005711664.tif 000007
【図６】
0005711664.tif 000008
【図７】
0005711664.tif 000009
【図８】
0005711664.tif 000010
【図９】
0005711664.tif 000011
【図１０】
0005711664.tif 000012
【図１１】
0005711664.tif 000013